(57)【要約】【課題】洞道内に直感的にしかも迅速に電波の伝搬環境を保持しつつ無線伝送装置を設置できる無線伝送装置の設置方法を提供することである。【解決手段】無線伝送装置として、公衆網に接続するための公衆網接続装置２０と、洞道１１内の状態を検出する状態センサ１９の検出信号を中継して公衆網接続装置２０に伝送する複数個のリピータ装置２１とを用意し、各々のリピータ装置２１は、１台の無線伝送装置との通信状態を表示する第１表示及び２台の無線伝送装置との通信状態を表示する第２表示を行う表示部２２を有し、リピータ装置２１の表示部２２の第１表示及び第２表示の点灯状態を確認しつつ通信状態を確保しながら、状態センサ１９の設置位置から公衆網接続装置２０までの間にリピータ装置２１を順次設置する。【選択図】  図１
2012028939.tif 000002
【特許請求の範囲】
【請求項１】
無線伝送装置として、公衆網に接続するための公衆網接続装置と、洞道内の状態を検出する状態センサの検出信号を中継して前記公衆網接続装置に伝送する複数個のリピータ装置とを用意し、
各々のリピータ装置は、１台の無線伝送装置との通信状態を表示する第１表示及び２台の無線伝送装置との通信状態を表示する第２表示を行う表示部を有し、
前記洞道への出入口に前記公衆網接続装置を設置し、
前記公衆網接続装置との通信状態を前記表示部の第１表示で確認して洞道内のその通信可能範囲に１個目のリピータ装置を仮設置し、
以下、洞道内に扉が有るときは扉を開いて順次前段のリピータ装置との通信状態を前記表示部の第１表示で確認してその通信可能範囲に後段のリピータ装置を前記状態センサの設置予定位置の近傍まで仮設置していき、
最終段のリピータ装置の近傍に前記状態センサを仮設置し、
前記状態センサの仮設置位置から前記公衆網接続装置までの間に仮設置したリピータ装置の通信状態が通信可能であることを前記表示部の第２表示で確認しながら洞道出入口まで戻り、
前記状態センサ及び前記リピータ装置の養生機材を携帯して前記洞道出入口から前記状態センサの仮設置位置まで戻り、
前記状態センサを前記養生機材で養生して前記状態センサの設置位置を確定し、
以下、前記状態センサの設置位置から前記公衆網接続装置までの間の仮設置したリピータ装置を順次養生機材で養生してリピータ装置の設置位置を確定し、
その過程で前記洞道内に扉が有るときは扉を閉じて前記リピータ装置の通信状態を前記表示部の第２表示で確認し、
扉を閉じた状態で前記リピータ装置の通信状態が通信不可となったときは扉の前後に新たにリピータ装置を追加して仮設置し、
追加して仮設置したリピータ装置の通信状態が扉を閉じた状態で通信可能であることを前記表示部の第２表示で確認したときはそのリピータ装置を養生してリピータ装置の設置位置を確定し、
前記状態センサの設置位置から前記公衆網接続装置までの間にリピータ装置を順次設置することを特徴とする無線伝送装置の設置方法。
【請求項２】
無線伝送装置として、公衆網に接続するための公衆網接続装置と、洞道内の状態を検出する状態センサの検出信号を中継して前記公衆網接続装置に伝送する複数個のリピータ装置とを用意し、
各々のリピータ装置は、１台の無線伝送装置との通信状態を表示する第１表示及び２台の無線伝送装置との通信状態を表示する第２表示を行う表示部を有し、
前記洞道への出入口に前記公衆網接続装置を設置し、
前記状態センサ、複数個のリピータ装置及び養生機材を携帯して洞道内の監視すべき位置まで行き、
洞道内の監視すべき位置に前記状態センサを設置して養生機材で養生し、
前記状態センサとの通信状態を前記表示部の第１表示で確認し洞道内のその通信可能範囲に１個目のリピータ装置を仮設置し、
前記状態センサと１個目のリピータ装置との間に扉がないときは１個目のリピータ装置を養生機材で養生し、
以下、前段のリピータ装置との間に扉がないときは順次前段のリピータ装置との通信状態を前記表示部の第１表示で確認してその通信可能範囲に後段のリピータ装置を設置して養生機材で養生していき、
その過程で前記洞道内に扉が有るときは扉を閉じて後段のリピータ装置の通信状態を前記表示部の第１表示で確認し、
扉を閉じた状態で後段のリピータ装置の通信状態が通信不可となったときは扉の前後にリピータ装置を設置し、
扉の前後に設置したリピータ装置の通信状態が扉を閉じた状態で通信可能であることを前記表示部の第２表示で確認して養生機材で養生し、
前記状態センサの設置位置から前記公衆網接続装置までの間にリピータ装置を順次設置することを特徴とする無線伝送装置の設置方法。
【請求項３】
前記表示部の第１表示及び第２表示は、ＬＥＤ素子を用いて表示色が異なる表示とすることを特徴とする請求項１または２に記載の無線伝送装置の設置方法。
【発明の詳細な説明】
【技術分野】
【０００１】
本発明は、洞道内の設備を監視するための信号を伝送する無線伝送装置を洞道内に設置する無線伝送装置の設置方法に関する。
【背景技術】
【０００２】
例えば、洞道内に敷設されている地中送電線に不具合が発生したときは、保守作業員はマンホールの出入口から洞道内に入り、不具合箇所の点検をする。その場合、目視で確認できる不具合は容易に発見できるが、目視で確認できない場合がある。
【０００３】
その場合、洞道内の温度や湿度などの状態量や画像などのデータを所定期間にわたり監視して不具合を把握するようにしている。洞道内の状態を監視するには、洞道内に状態センサを設置して行うことになる。
【０００４】
洞道内に状態センサを設置して、洞道内の温度や湿度あるいは画像などのデータを洞道外の監視者やシステムに提供するには、通信ケーブルを付設するもしくは、無線伝送装置を設置する必要があるが、前者は通信ケーブル付設の煩雑さから現実的ではなく、また後者は、不感地帯である事から一般的な公衆網の電波を用いる事は不可能である。
【０００５】
洞道内の電力設備を遠隔地から監視するものとして、複数の子局をそれぞれの通信範囲内に位置するように連鎖的に配置し、ある子局が出力する通信信号を他の子局が中継して親局まで到達させ、親局は通信信号の端末装置識別信号に基づいていずれの子局から発せられた通信信号であるか特定し、かつ、監視信号に基づいて洞道内または洞道内の電力設備の状態を特定し、洞道内の電力設備に対する巡回・点検作業の機械化・省力化を図り、洞道および洞道内に設置された電力設備を遠隔地から監視するようにしたものがある（例えば、特許文献１参照）。
【０００６】
また、移動体データ通信の良否判定方式として、電界強度が基準値以上のときは可視表示し、基準値に満たないときは可聴表示するようにしたものがある（例えば、特許文献２参照）。
【先行技術文献】
【特許文献】
【０００７】
【特許文献１】特開２０００−２９５７９２号公報
【特許文献２】特開昭６２−３５３６号公報
【発明の概要】
【発明が解決しようとする課題】
【０００８】
しかし、従来の無線伝送システムでは、現地における電波の伝搬状況を事前に確認し、無線伝送装置の設置箇所を予め検討することを前提としている。洞道内の電力設備の保守管理業務の中には不測の事態の対応業務がある。その場合には、事前に現地において電波の伝搬状況を確認する時間がない場合があり、そのような状況下で、無線伝送システムの無線伝送装置を洞道内に設置することが求められることがある。
【０００９】
洞道内に無線伝送システムを緊急に構築するには、以下の点を克服する必要がある。
【００１０】
（１）緊急出動時は迅速性が求められるため、持参できる機材は必要最低限の機材としなければならない。
【００１１】
（２）洞道内には、暗渠、屈曲部、扉等が多く電波の伝搬環境が悪いため、減衰した電波を復元するためにリピータ装置を数多く設置する必要があるが、そのリピータ装置は電波の伝搬環境を容易に把握でき、直感的にしかも迅速に設置できるものでなくてはならない。  
（３）扉やグレーチングなどは設置作業時には開放されているが、本格運用時には密閉状態となるので、設置作業時とは異なる環境となる密閉状態でも電波が伝搬するようにしなければならない。
【００１２】
本発明の目的は、洞道内に直感的にしかも迅速に電波の伝搬環境を確認しつつ、無線伝送装置を設置できる無線伝送装置の設置方法を提供することである。
【課題を解決するための手段】
【００１３】
請求項１の発明に係る無線伝送装置の設置方法は、無線伝送装置として、公衆網に接続するための公衆網接続装置と、洞道内の状態を検出する状態センサの検出信号を中継して前記公衆網接続装置に伝送する複数個のリピータ装置とを用意し、各々のリピータ装置は、１台の無線伝送装置との通信状態を表示する第１表示及び２台の無線伝送装置との通信状態を表示する第２表示を行う表示部を有し、前記洞道への出入口に前記公衆網接続装置を設置し、前記公衆網接続装置との通信状態を前記表示部の第１表示で確認して洞道内のその通信可能範囲に１個目のリピータ装置を仮設置し、以下、洞道内に扉が有るときは扉を開いて順次前段のリピータ装置との通信状態を前記表示部の第１表示で確認してその通信可能範囲に後段のリピータ装置を前記状態センサの設置予定位置の近傍まで仮設置していき、最終段のリピータ装置の近傍に前記状態センサを仮設置し、前記状態センサの仮設置位置から前記公衆網接続装置までの間に仮設置したリピータ装置の通信状態が通信可能であることを前記表示部の第２表示で確認しながら洞道出入口まで戻り、前記状態センサ及び前記リピータ装置の養生機材を携帯して前記洞道出入口から前記状態センサの仮設置位置まで戻り、前記状態センサを前記養生機材で養生して前記状態センサの設置位置を確定し、以下、前記状態センサの設置位置から前記公衆網接続装置までの間の仮設置したリピータ装置を順次養生機材で養生してリピータ装置の設置位置を確定し、その過程で前記洞道内に扉が有るときは扉を閉じて前記リピータ装置の通信状態を前記表示部の第２表示で確認し、扉を閉じた状態で前記リピータ装置の通信状態が通信不可となったときは扉の前後に新たにリピータ装置を追加して仮設置し、追加して仮設置したリピータ装置の通信状態が扉を閉じた状態で通信可能であることを前記表示部の第２表示で確認したときはそのリピータ装置を養生してリピータ装置の設置位置を確定し、前記状態センサの設置位置から前記公衆網接続装置までの間にリピータ装置を順次設置することを特徴とする。
【００１４】
請求項２の発明に係る無線伝送装置の設置方法は、無線伝送装置として、公衆網に接続するための公衆網接続装置と、洞道内の状態を検出する状態センサの検出信号を中継して前記公衆網接続装置に伝送する複数個のリピータ装置とを用意し、各々のリピータ装置は、１台の無線伝送装置との通信状態を表示する第１表示及び２台の無線伝送装置との通信状態を表示する第２表示を行う表示部を有し、前記洞道への出入口に前記公衆網接続装置を設置し、前記状態センサ、複数個のリピータ装置及び養生機材を携帯して洞道内の監視すべき位置まで行き、洞道内の監視すべき位置に前記状態センサを設置して養生機材で養生し、前記状態センサとの通信状態を前記表示部の第１表示で確認し洞道内のその通信可能範囲に１個目のリピータ装置を仮設置し、前記状態センサと１個目のリピータ装置との間に扉がないときは１個目のリピータ装置を養生機材で養生し、以下、前段のリピータ装置との間に扉がないときは順次前段のリピータ装置との通信状態を前記表示部の第１表示で確認してその通信可能範囲に後段のリピータ装置を設置して養生機材で養生していき、その過程で前記洞道内に扉が有るときは扉を閉じて後段のリピータ装置の通信状態を前記表示部の第１表示で確認し、扉を閉じた状態で後段のリピータ装置の通信状態が通信不可となったときは扉の前後にリピータ装置を設置し、扉の前後に設置したリピータ装置の通信状態が扉を閉じた状態で通信可能であることを前記表示部の第２表示で確認して養生機材で養生し、前記状態センサの設置位置から前記公衆網接続装置までの間にリピータ装置を順次設置することを特徴とする。
【００１５】
請求項３の発明に係る無線伝送装置の設置方法は、請求項１または２の発明において、前記表示部の第１表示及び第２表示は、ＬＥＤ素子を用いて表示色が異なる表示とすることを特徴とする。
【発明の効果】
【００１６】
請求項１の発明によれば、無線伝送装置であるリピータ装置に、１台の無線伝送装置との通信状態を表示する第１表示及び２台の無線伝送装置との通信状態を表示する第２表示を行う表示部を設け、洞道の出入口から状態センサの設置予定位置まで、前段のリピータ装置との通信状態を表示部の第１表示素子で確認しつつ洞道内にリピータ装置を仮設置していき、洞道内の状態センサの仮設置位置から洞道の出入口までの戻り過程において、仮設置したリピータ装置の表示部の第２表示で双方向の通信状態を確認するので、直感的にしかも迅速に電波の伝搬を確認できる。
【００１７】
そして、仮設置を本設置する作業の過程において、洞道内に扉が有るときは扉を閉じてリピータ装置の通信状態を表示部の表示素子で確認し、扉を閉じた状態で通信可能となるように、リピータ装置を追加して設置するので、扉が閉じた状態での洞道内の状態監視時においても通信可能状態を確保できる。従って、洞道内に直感的に、しかも迅速に電波途絶原因を判断しながら、電波の伝搬環境を保持しつつ無線伝送装置を設置できる。
【００１８】
請求項２の発明によれば、状態センサ、複数個のリピータ装置及び養生機材を携帯して洞道内の監視すべき位置まで行き、洞道内の監視すべき位置に状態センサを設置して養生機材で養生し、状態センサとの通信状態を１個目のリピータ装置の表示部の第１表示で確認して洞道内のその通信可能範囲に扉がないときは１個目のリピータ装置を設置して養生機材で養生し、以下、順次前段のリピータ装置との通信状態を後段のリピータ装置の表示部の第１表示で確認して後段のリピータ装置を養生機材で養生しながら公衆網接続装置の設置位置の近傍まで設置していくので、養生機材を洞道の出入口まで取りに戻る作業を省略できる。
【００１９】
また、その過程で洞道内に扉が有るときは扉を閉じてリピータ装置の通信状態を表示部の第１表示で確認し、リピータ装置の通信状態が通信不可となったときは扉の前後にリピータ装置を設置し、扉の前後に設置したリピータ装置の通信状態が扉を閉じた状態で通信可能であることを表示部の第２表示で確認しつつリピータ装置を設置するので、扉が閉じた状態での洞道内の状態監視時においても電波途絶原因の判断を容易に行いながら、通信可能状態を確保できる。従って、洞道内に直感的に、しかも迅速に電波途絶原因を判断しながら、電波の伝搬環境を保持しつつ無線伝送装置を設置できる。
【００２０】
請求項３の発明によれば、表示部の第１表示及び第２表示は、ＬＥＤ素子を用いて表示色が異なる表示とするので、洞道内の薄暗い箇所においても、１台の無線伝送装置との通信状態を表示しているか、２台の無線伝送装置との通信状態を表示しているかの識別を容易に視認できる。
【図面の簡単な説明】
【００２１】
【図１】本発明の実施形態に係る無線伝送装置の設置方法の説明図。
【図２】本発明の実施形態の実施例１に係る無線伝送装置の設置方法の過程１の説明図。
【図３】本発明の実施形態の実施例１に係る無線伝送装置の設置方法の過程２の説明図。
【図４】本発明の実施形態の実施例１に係る無線伝送装置の設置方法の過程３の説明図。
【図５】本発明の実施形態の実施例１に係る無線伝送装置の設置方法の過程４の説明図。
【図６】本発明の実施形態の実施例１に係る無線伝送装置の設置方法の過程５の説明図。
【図７】本発明の実施形態の実施例２に係る無線伝送装置の設置方法の過程１の説明図。
【図８】本発明の実施形態の実施例２に係る無線伝送装置の設置方法の過程２の説明図。
【図９】本発明の実施形態の実施例２に係る無線伝送装置の設置方法の過程３の説明図。
【図１０】本発明の実施形態の実施例２に係る無線伝送装置の設置方法の過程４の説明図。
【発明を実施するための形態】
【００２２】
以下、本発明の実施の形態を説明する。図１は本発明の実施形態に係る無線伝送装置の設置方法の説明図である。図１（ａ）は、監視対象である地中送電線の洞道１１の説明図である。洞道１１の出入口のマンホール１２にはグレーチング１３が設けられ、洞道１１内には扉１４が設けられている。地中送電線の洞道１１を監視するには、この洞道１１に状態センサ及び無線伝送装置を設置することになる。そして、洞道１１に設置した状態センサからの監視データを無線伝送装置を介して洞道１１の外部の携帯電話などの一般的な公衆網１５に伝送する。そして、公衆網１５に接続されたデータ蓄積サイト１６に監視データを蓄積し、データ蓄積サイト１６に蓄積された監視データをインターネット１７を介して監視室の監視端末１８で監視することになる。洞道１１に無線伝送装置を設置するには、作業員はグレーチング１３を外して洞道１１内に入り状態センサ及び無線伝送装置を設置していくことになる。
【００２３】
まず、図１（ｂ）に示すように、状態センサ１９と、無線伝送装置（１個の公衆網接続装置２０、複数個のリピータ装置２１）とを用意する。状態センサ１９は１個の通信機能を有し、検出信号を１個のリピータ装置２１に送信する。なお、リピータ装置２１が必要ないときは公衆網接続装置２０に直接的に検出信号を送信する。
【００２４】
また、公衆網接続装置２０は２個の通信機能を有し、公衆網１５とリピータ装置２１との通信を行う。なお、リピータ装置２１が必要ないときは状態センサ１９の検出信号を直接的に受信する。リピータ装置２１は２個の通信機能を有し、公衆網接続装置２０と他の１個のリピータ装置２１との通信、他の２個のリピータ装置との通信、状態センサ１９と他の１個のリピータ装置２１との通信を行う。このように、リピータ装置２１は、洞道１１内の状態を検出する状態センサ１９の検出信号を中継して公衆網接続装置２０に伝送するものである。
【００２５】
リピータ装置２１は、図１（ｃ）に示すように、表示部２２を有している。表示部２２は  例えば、１台の無線伝送装置との通信状態を表示する第１表示素子２３ａと、２台の無線伝送装置との通信状態を表示する第２表示素子２３ｂとからなり、第１表示素子２３ａ及び第２表示素子２３ｂとしては、例えば表示色が異なるＬＥＤ素子が用いられる。例えば、第１表示素子２３ａとして黄色ＬＥＤが用いられ、第２表示素子２３ｂとして緑色ＬＥＤが用いられる。もしくは、表示部２２の表示素子２３は１個とし、１台の無線伝送装置との通信状態を表示する場合は表示色を黄色、２台の無線伝送装置との通信状態を表示する場合は表示色を緑色にと変色させ点灯させてもよい。
【００２６】
まったく点灯していないときは、どの無線伝送装置とも通信を行っていない場合であり、黄色が点灯しているときはリピータ装置２１は１台の無線伝送装置との通信を行っている場合であり、緑色が点灯しているときはリピータ装置２１は２台の無線伝送装置との通信を行っている場合である。ＬＥＤは輝度が高いので、洞道１１内の薄暗い箇所においても、ＬＥＤの点灯状態により、１台の無線伝送装置との通信状態を表示しているか、２台の無線伝送装置との通信状態を表示しているかの識別を容易に視認できる。
【００２７】
図１（ｄ）は、無線伝送装置の設置を完了した状態を示す説明図である。無線伝送装置の設置を完了した状態では、図１（ａ）の状態で無線伝送装置を設置し、状態センサ１９からの検出信号が監視端末１８に伝送されている状態である。すなわち、扉１４を閉じた状態で状態センサ１９からの検出信号がリピータ装置２１を中継して公衆網接続装置２０に伝送され、さらに公衆網接続装置２０から公衆網１５を介してデータ蓄積サイト１６に蓄積される状態である。これにより、監視室の監視端末１８から監視データをインターネット１７を介して監視できる。
【００２８】
図２乃至図６は、本発明の実施形態の実施例１に係る無線伝送装置の設置方法の説明図である。以下の説明では、表示部２２は、第１表示素子２３ａ及び第２表示素子２３ｂの２個の表示素子を有した場合について説明する。まず、図２（ａ）に示すように、作業員は洞道１１の出入口のマンホール１２に公衆網接続装置２０を設置する。公衆網接続装置２０の設置にあたっては、公衆網接続装置２０が公衆網１５と通信可能であることを確認する。
【００２９】
次に、図２（ｂ）に示すように、作業員は公衆網接続装置２０の設置位置から矢印Ａ１方向に移動し、洞道１１内に１個目のリピータ装置２１を仮設置する。この仮設置の際には、公衆網接続装置２０との通信状態をリピータ装置２１の第１表示素子で確認する。第１表示素子が点灯しているときは、公衆網接続装置２０との通信可能範囲である。これにより、第１表示素子が点灯している範囲内に１個目のリピータ装置２１を仮設置する。
【００３０】
以下、同様に、作業員は洞道１１内に進んでいき、リピータ装置２１の第１表示素子で通信状態を確認しながら、第１表示素子が点灯している範囲内に順次リピータ装置２１を仮設置していくことになる。この場合、図２（ｃ）に示すように、進行方向の矢印Ａ２方向に洞道１１内に扉１４が有るときは、扉１４ａを開いて、次のリピータ装置２１ｂを仮設置する。その際、リピータ装置２１ｂの第１表示素子で前段のリピータ装置２１ａとの通信状態を確認して、その通信可能範囲にリピータ装置２１ｂを仮設置することになる。図２（ｃ）では、次の扉１４ｂの手前にリピータ装置２１ｂを仮設置した場合を示している。
【００３１】
そして、図３（ａ）に示すように、作業員は、次の扉１４ｂを開いて矢印方向Ａ３に洞道１１内を進む。ここで、例えば、扉１４ｂの先が不具合発生箇所であると思われる場合には、この領域に状態センサ１９を仮設置することになる。その際、状態センサ１９はリピータ装置２１ｂとの通信が可能であると思われる範囲に仮設置することになる。
【００３２】
状態センサ１９を仮設置すると、作業員は、図３（ｂ）に示すように、矢印Ｂ１方向に戻ることになる。状態センサ１９の仮設置位置から扉１４ｂを通り、リピータ装置２１ｂまで戻り、リピータ装置２１ｂの第２表示素子の点灯状態を確認する。リピータ装置２１ｂの第２表示素子が点灯しているときは、リピータ装置２１ｂは状態センサ１９及びリピータ装置２１ａの双方と通信している状態であり、正常に通信が行われている状態である。
【００３３】
もし、リピータ装置２１ｂの第２表示素子が点灯していないときは、状態センサ１９との通信が行われていないと判断し、状態センサ１９の仮設置位置を見直すことになる。これは、リピータ装置２１ｂの仮設置の際には、リピータ装置２１ｂの第１表示素子にて、リピータ装置２１ａとの通信が可能であることを確認しているからである。
【００３４】
リピータ装置２１ｂの第２表示素子が点灯していることを確認すると、作業員は、さらに矢印Ｂ２方向に戻る。すなわち、リピータ装置２１ｂの仮設置位置から扉１４ａを通り、リピータ装置２１ａまで戻り、リピータ装置２１ａの第２表示素子の点灯状態を確認する。リピータ装置２１ａの第２表示素子が点灯しているときは、リピータ装置２１ａはリピータ装置２１ｂ及び公衆網接続装置２０の双方と通信している状態であり、正常に通信が行われている状態である。
【００３５】
もし、リピータ装置２１ａの第２表示素子が点灯していないときは、リピータ装置２１ｂとの通信が行われていないと判断し、リピータ装置２１ｂの仮設置位置を見直すことになる。これは、リピータ装置２１ａの仮設置の際には、リピータ装置２１ａの第１表示素子にて、公衆網接続装置２０との通信が可能であることを確認しているからである。なお、リピータ装置２１ｂの仮設置位置を見直ししたときは、状態センサ１９の仮設置位置も見直すことになる。そして、作業員は、リピータ装置２１ａの仮設置位置から矢印Ｂ３方向に洞道１１の出入口まで戻る。
【００３６】
このように、作業員は状態センサ１９の仮設置位置から公衆網接続装置２０までの間に仮設置したリピータ装置２１の通信状態が通信可能であることを第２表示素子で確認しながら洞道１１の出入口まで戻る。
【００３７】
洞道１１の出入口付近では、携帯電話などの公衆網の電波が届くようになるため、ここで監視端末１８で監視している監視員に電話連絡し、実際に状態センサーからの監視データを監視端末１８で確認できるか否かの動作確認を依頼し、洞道内と公衆網とを連動した正常動作確認試験を完了させておく。
【００３８】
確認後、作業員は養生機材を携帯して、図３（ｃ）に示すように、矢印Ａ４方向に一気に洞道１１の出入口から状態センサ１９の仮設置位置まで戻る。
【００３９】
そして、作業員は、図４（ａ）に示すように、状態センサ１９を養生機材２４で養生して状態センサ１９の設置位置を確定し、矢印Ｂ４方向に戻る。つまり、状態センサ１９の設置位置から扉１４ｂを通り、リピータ装置２１ｂまで戻り、図４（ｂ）に示すように、扉１４ｂを閉じる。扉１４ｂを閉じた状態でリピータ装置２１ｂの第２表示素子の点灯状態を確認する。
【００４０】
前述したように、リピータ装置２１ｂの第２表示素子が点灯しているときは、リピータ装置２１ｂは状態センサ１９及びリピータ装置２１ａの双方と通信している状態であり、正常に通信が行われている状態である。
【００４１】
一方、リピータ装置２１ｂの第２表示素子が点灯していないときは、状態センサ１９との通信が行われていない状態である。これは、リピータ装置２１ｂと状態センサ１９との間の扉１４ｂを閉じたために通信不可となったと考えられる。図４（ｂ）では、リピータ装置２１ｂと状態センサ１９との通信が通信不可となった場合を示している。
【００４２】
扉１４ｂを閉じた状態でリピータ装置２１ｂの通信状態が通信不可となったときは、図４（ｃ）に示すように、扉１４ｂを開き矢印Ｃ１方向に移動し、扉１４ｂの前後に新たにリピータ装置２１ｂ’、２１ｂ”を追加して仮設置する。
【００４３】
そして、作業員は状態センサ１９側に移動し、図５（ａ）に示すように、扉１４ｂを閉じて、状態センサ１９側のリピータ装置２１ｂ’の第２表示素子の点灯状態を確認する。リピータ装置２１ｂ’の第２表示素子が点灯しているときは、リピータ装置２１ｂ’は状態センサ１９及びリピータ装置２１ｂ”の双方と通信している状態であり、正常に通信が行われている状態である。
【００４４】
そこで、作業員は、そのリピータ装置２１ｂ’を養生機材２４で養生してリピータ装置２１ｂ’の設置位置を確定し、扉１４ｂを開き、矢印Ｂ４方向に移動し、図５（ｂ）に示すように扉１４ｂを閉じる。そして、リピータ装置２１ｂ”及びリピータ装置２１ｂの第２表示素子の点灯状態を確認する。リピータ装置２１ｂ”の第２表示素子が点灯しているときは、リピータ装置２１ｂ”は、リピータ装置２１ｂ’及びリピータ装置２１ｂの双方と通信している状態であり、正常に通信が行われている状態である。また、リピータ装置２１ｂの第２表示素子が点灯しているときは、リピータ装置２１ｂは、リピータ装置２１ｂ”及びリピータ装置２１ａの双方と通信している状態であり、正常に通信が行われている状態である。
【００４５】
そこで、作業員は、リピータ装置２１ｂ”及びリピータ装置２１ｂを養生機材２４で養生してリピータ装置２１ｂ”及びリピータ装置２１ｂの設置位置を確定し、図５（ｃ）に示すように矢印Ｂ５方向に移動する。つまり、作業員は、リピータ装置２１ｂの設置位置から扉１４ａを通り、リピータ装置２１ａまで戻り、図６（ａ）に示すように、扉１４ａを閉じる。
【００４６】
そして、扉１４ａを閉じた状態でリピータ装置２１ａの第２表示素子の点灯状態を確認する。リピータ装置２１ａの第２表示素子が点灯しているときは、リピータ装置２１ａは、リピータ装置２１ｂ及び公衆網接続装置２０の双方と通信している状態であり、正常に通信が行われている状態である。
【００４７】
図６（ｂ）では、扉１４ａを閉じた状態でリピータ装置２１ａの第２表示素子が点灯している場合を示している。この場合は、作業員は、リピータ装置２１ａを養生機材２４で養生してリピータ装置２１ａの設置位置を確定し、矢印Ｂ６方向に進み、洞道１１の出入口から地上に出ることになる。これにより、無線伝送装置の設置は完了する。
【００４８】
一方、リピータ装置２１ａの第２表示素子が点灯していないときは、図４（ｂ）〜図５（ｃ）に示したように、扉１４ａの前後に追加して２個のリピータ装置２１を設置し、追加して設置したリピータ装置２１の通信状態が扉１４ａを閉じた状態で通信可能であることを第２表示素子で確認し、通信状態を確認しながらリピータ装置２１を養生していくことになる。
【００４９】
このように、実施例１では、リピータ装置２１の第１表示素子で前段の無線伝送装置（公衆網接続装置２０、リピータ装置２１）との通信状態を確認しつつ洞道１１内にリピータ装置２１を仮設置していき、その過程で洞道１１内に扉１４が有るときは扉１４を開いて順次前段のリピータ装置２１との通信状態を第１表示素子で確認しつつ状態センサ１９の設置予定位置の近傍まで仮設置していく。そして、洞道１１の出入口まで戻る過程で状態センサ１９の設置位置から公衆網接続装置２０までの間の仮設置したリピータ装置２１の第２表示素子の点灯状態を確認しながら、通信状態を確認する。
【００５０】
監視端末１８で監視している監視員と電話連絡が可能となった作業員は、洞道内と公衆網とを連動した正常動作確認を監視員に依頼する。
【００５１】
その後、洞道１１の出入口から養生機材を携帯して、状態センサ１９の設置位置まで戻り、その状態センサ１９の設置位置から公衆網接続装置２０までの間の仮設置したリピータ装置２１を順次養生機材で養生してリピータ装置２１の設置位置を確定していく。
【００５２】
その過程で洞道１１内に扉１４が有るときは扉１４を閉じてリピータ装置の通信状態を第２表示素子で確認し、扉１４を閉じた状態でリピータ装置２１の通信状態が通信不可となったときは扉１４の前後に新たにリピータ装置２１を追加して仮設置し、追加して仮設置したリピータ装置２１の通信状態が扉１４を閉じた状態で通信可能であることを第２表示素子で確認したときはそのリピータ装置２１を養生してリピータ装置２１の設置位置を確定し、状態センサ１９の設置位置から公衆網接続装置２０までの間にリピータ装置２１を順次設置する。
【００５３】
このように、リピータ装置２１の第１表示素子及び第２表示素子の点灯状態を確認するだけで、電波途絶原因の判断と通信状態を確認できるので、洞道内の暗い場所においても、直感的にしかも迅速に電波の伝搬を確認できる。従って、無線伝送装置の設置作業を容易に効率的に行うことができる。
【００５４】
次に、本発明の実施形態の実施例２に係る無線伝送装置の設置方法について説明する。図７乃至図１０は、本発明の実施形態の実施例２に係る無線伝送装置の設置方法の説明図である。
【００５５】
この実施例２は、実施例１に対し、状態センサ及び複数個のリピータ装置を仮設置した後に第２表示装置で通信状態を確認しながら、複数個のリピータ装置を養生機材で養生することに代えて、状態センサ及び複数個のリピータ装置に加え養生機材も携帯して洞道内の監視すべき位置まで行き、状態センサ及びリピータ装置を養生機材で養生しながら状態センサ及びリピータ装置を設置していくようにしたものである。これにより、養生機材を洞道の出入口まで取りに戻る作業を省略できる。
【００５６】
まず、図７（ａ）に示すように、作業員は洞道１１の出入口のマンホール１２に公衆網接続装置２０を設置する。公衆網接続装置２０の設置にあたっては、公衆網接続装置２０が公衆網１５と通信可能であることを確認する。
【００５７】
作業員は、状態センサ、複数個のリピータ装置及び養生機材を携帯して、図７（ｂ）に示すように、扉１４ａ、１４ｂを順次開いて洞道１１内を進んでいく。そして、例えば、扉１４ｂの先が不具合発生箇所であると思われる場合には、この領域に状態センサ１９を設置することになる。作業員は、図７（ｃ）に示すように、洞道１１内の監視すべき位置に状態センサ１９を設置して養生機材２４で養生する。
【００５８】
次に、作業員は、図８（ａ）に示すように、矢印Ｂ７方向に戻り、状態センサ１９の設置位置から通信可能範囲に１個目のリピータ装置２１ｂを設置する。状態センサ１９との通信状態は、１個目のリピータ装置２１ｂの第１表示素子で確認する。図８（ａ）では、１個目のリピータ装置２１ｂの第１表示素子は点灯しており通信可能範囲である場合を示している。この場合、状態センサ１９と１個目のリピータ装置２１ｂとの間に扉１４ｂがあるので、１個目のリピータ装置２１ｂは仮設置とする。
【００５９】
そして、作業員は、図８（ｂ）に示すように、扉１４ｂを閉じる。扉１４ｂを閉じた状態でリピータ装置２１ｂの第１表示素子の点灯状態を確認する。リピータ装置２１ｂの第１表示素子が点灯しているときは、リピータ装置２１ｂは状態センサ１９と通信している状態であり、正常に通信が行われている状態である。一方、リピータ装置２１ｂの第１表示素子が点灯していないときは、状態センサ１９との通信が行われていない状態である。これは、リピータ装置２１ｂと状態センサ１９との間の扉１４ｂを閉じたために通信不可となったと考えられる。図８（ｂ）では、リピータ装置２１ｂと状態センサ１９との通信が通信不可となった場合を示している。
【００６０】
扉１４ｂを閉じた状態でリピータ装置２１ｂの通信状態が通信不可となったときは、図８（ｃ）に示すように、扉１４ｂを開き矢印Ｃ２方向に移動し、扉１４ｂの前後に新たにリピータ装置２１ｂ’、２１ｂ”を追加して仮設置する。
【００６１】
そして、作業員は状態センサ１９側に移動し、図９（ａ）に示すように、扉１４ｂを閉じて、状態センサ１９側のリピータ装置２１ｂ’の第２表示素子の点灯状態を確認する。リピータ装置２１ｂ’の第２表示素子が点灯しているときは、リピータ装置２１ｂ’は状態センサ１９及びリピータ装置２１ｂ”の双方と通信している状態であり、正常に通信が行われている状態である。
【００６２】
そこで、作業員は、そのリピータ装置２１ｂ’を養生機材２４で養生してリピータ装置２１ｂ’の設置位置を確定し、扉１４ｂを開き、矢印Ｂ８方向に移動し、図９（ｂ）に示すように扉１４ｂを閉じる。そして、リピータ装置２１ｂ”及びリピータ装置２１ｂの第２表示素子の点灯状態を確認する。リピータ装置２１ｂ”の第２表示素子が点灯しているときは、リピータ装置２１ｂ”は、リピータ装置２１ｂ’及びリピータ装置２１ｂの双方と通信している状態であり、正常に通信が行われている状態である。また、リピータ装置２１ｂの第１表示素子が点灯しているときは、リピータ装置２１ｂは、リピータ装置２１ｂ”と通信している状態であり、正常に通信が行われている状態である。
【００６３】
そこで、作業員は、リピータ装置２１ｂ”及びリピータ装置２１ｂを養生機材２４で養生し、図９（ｃ）に示すように矢印Ｂ９方向に移動する。つまり、作業員は、リピータ装置２１ｂの設置位置から扉１４ａを通り、リピータ装置２１ｂの設置位置から通信可能範囲にリピータ装置２１ａを設置する。リピータ装置２１ｂとの通信状態は、リピータ装置２１ａの第１表示素子で確認することになる。
【００６４】
図１０（ａ）では、リピータ装置２１ａの第１表示素子は点灯で第２表示素子も点灯し、リピータ装置２１ａはリピータ装置２１ｂ及び公衆網接続装置２０の双方と通信状態である場合を示している。
【００６５】
この場合、リピータ装置２１ｂとリピータ装置２１ａとの間に扉１４ａがあるので、リピータ装置２１ａは仮設置とする。そして、作業員は、図１０（ｂ）に示すように、扉１４ａを閉じる。扉１４ａを閉じた状態でリピータ装置２１ａの第２表示素子の点灯状態を確認する。リピータ装置２１ａの第２表示素子が点灯しているときは、リピータ装置２１ａはリピータ装置２１ｂ及び公衆網接続装置２０の双方と通信状態であり、正常に通信が行われている状態である。
【００６６】
図１０（ｃ）では、扉１４ａを閉じた状態でリピータ装置２１ａの第２表示素子が点灯している場合を示している。この場合は、作業員は、リピータ装置２１ａを養生機材２４で養生して、矢印Ｂ１０方向に進み、洞道１１の出入口から地上に出ることになる。
【００６７】
監視端末１８で監視している監視員と電話連絡が可能となった作業員は、洞道内と公衆網とを連動した正常動作確認を監視員に依頼し、確認後、無線伝送装置の設置は完了する。
【００６８】
一方、リピータ装置２１ａの第２表示素子が点灯していないときは、図８（ｂ）〜図８（ｃ）に示したように、扉１４ａの前後に追加して２個のリピータ装置２１を設置し、追加して設置したリピータ装置２１の通信状態が扉１４ａを閉じた状態で通信可能であることを第２表示素子で確認し、通信状態を確認しながらリピータ装置２１を養生していくことになる。
【００６９】
以上の説明では、前段のリピータ装置との通信状態を後段のリピータ装置の第１表示素子で確認すると、その後段のリピータ装置を養生機材で養生するようにしたが、前段のリピータ装置の第２表示素子で、前段のリピータ装置と後段のリピータ装置との通信状態を確認してから、後段のリピータ装置を養生機材で養生するようにしてもよい。この場合、前段のリピータ装置まで戻ってその第２表示素子を確認する必要があるが、２人の作業員で作業する場合には、その確認をいずれか一方の作業員に行わせるようにすればよい。これにより、状態センサ１９や無線伝送装置の設置は養生作業と並行して行うことができる。
【符号の説明】
【００７０】
１１…洞道、１２…マンホール、１３…クレーチング、１４…扉、１５…公衆網、１６…データ蓄積サイト、１７…インターネット、１８…監視端末、１９…状態センサ、２０…公衆網接続装置、２１…リピータ装置、２２…表示部、２３ａ…第１表示素子、２３ｂ…第２表示素子、２４…養生機材
【図１】
2012028939.tif 000003
【図２】
2012028939.tif 000004
【図３】
2012028939.tif 000005
【図４】
2012028939.tif 000006
【図５】
2012028939.tif 000007
【図６】
2012028939.tif 000008
【図７】
2012028939.tif 000009
【図８】
2012028939.tif 000010
【図９】
2012028939.tif 000011
【図１０】
2012028939.tif 000012